(57)【要約】所定の画像を表示可能な電気泳動表示体２と、その電気泳動表示体２の前面側に配され、前記所定の画像を電気泳動表示体２よりも高速に表示可能な液晶表示体３と、それら電気泳動表示体２及び液晶表示体３に対して前面視で同じ位置に同じ画像データに応じた画像が表示させる制御装置とを備え、その制御装置は、電気泳動表示体２に前記所定の画像が表示されてからは、液晶表示体３を透明状態とするようにした。
2005034068.tif 000002
【特許請求の範囲】
【請求項１】
所定の画像を表示可能な第１表示部と、前記第１表示部の前面側に配され、前記所定の画像を前記第１表示部よりも高速に表示可能な第２表示部と、前記第１表示部及び前記第２表示部に対して前面視で同じ位置に前記所定の画像をそれぞれ表示させる表示指令部とを備え、
前記表示指令部は、前記第１表示部に前記所定の画像が表示されてからは、前記第２表示部を透明状態とすることを特徴とする画像表示装置。
【請求項２】
所定の画像を表示可能な第１表示部と、前記第１表示部の背面側に配され、前記所定の画像を前記第１表示部よりも高速に表示可能な第２表示部と、前記第１表示部及び前記第２表示部に対して前面視で同じ位置に前記所定の画像をそれぞれ表示させる表示指令部とを備え、
前記第１表示部は、前記第２表示部の表示を前面側から透視可能に構成され、前記表示指令部は、前記第１表示部に前記所定の画像が表示されてからは、前記第２表示部を非表示状態とすることを特徴とする画像表示装置。
【請求項３】
前記第１表示部及び前記第２表示部を含んでなる表示画面の前面側に配され、前記第１表示部及び前記第２表示部の少なくとも一方に表示されている画像を利用者に選択させるため、もしくは情報入力を行わせるためのタッチパネルを備えたことを特徴とする請求項１又は２に記載の画像表示装置。
【請求項４】
前記第２表示部の単位面積あたりの画素数は、前記第１表示部の単位面積当たりの画素数よりも少ないことを特徴とする請求項１から３のいずれか１項に記載の画像表示装置。
【請求項５】
詳細な画像表示が必要でないことを検出する詳細表示不要状態検出手段を備え、前記表示指令部は、前記詳細表示不要状態検出手段で詳細な画像表示が必要でないことが検出されると、前記第２表示部にのみ前記所定の画像を表示させることを特徴とする請求項４に記載の画像表示装置。
【請求項６】
前記第１表示部を、電力供給が遮断された状態で表示内容を保持可能な記憶性表示体とし、前記第２表示部を、電力供給が遮断されると表示内容が消去される非記憶性表示体としたことを特徴とする請求項１から５のいずれか１項に記載の画像表示装置。
【請求項７】
前記第１表示部を、前記第２表示部及び前記タッチパネルから分離可能としたことを特徴とする請求項３に記載の画像表示装置。
【請求項８】
複数画像の高速切換表示を要求していることを検出する高速切換表示要求検出手段を備え、前記表示指令部は、前記高速切換表示要求検出手段で複数画像の高速切換表示を要求していることを検出されると、前記第２表示部にのみ前記複数画像を順次表示させることを特徴とする請求項１から７のいずれか１項に記載の画像表示装置。
【発明の詳細な説明】
【技術分野】
【０００１】  本発明は、所定の画像を表示可能な表示部を備えた画像表示装置に関するものである。
【背景技術】
【０００２】  従来、この種の技術としては、例えば、特開２０００−３５５９８号公報に記載されているように、黒色の帯電粒子と白色の分散媒とからなる電気泳動分散液を内包する複数のマイクロカプセルと、それら複数のマイクロカプセルが配された層を挟み込むように配置された一対の電極（例えば、透明電極及び非透明電極）と、を有する電気泳動表示体を備えた画像表示装置が知られている。【０００３】  このような画像表示装置にあっては、一般に、透明電極の電位をハイレベルとし、非透明電極の電位をローレベルとし、それら両電極間に挟まれたマイクロカプセルの帯電粒子を透明電極に吸着させ、その帯電粒子を電気泳動表示体の透明電極側から視認可能とすることで、所定の画像を電気泳動表示体の透明電極側に表示するようになっている。
しかしながら、上記従来の技術にあっては、透明電極に帯電粒子を吸着させることで画像表示を行うようになっているため、例えば、帯電粒子の吸着に時間がかかることで、表示速度が比較的遅くなってしまい、その結果、画像表示のための動作が開始されてから、実際に画像全体が表示されるまで待たされるという違和感を与えてしまう恐れがあった。【０００４】  そこで、本発明は上記従来の技術の未解決の問題点を解決することを目的とするものであって、表示速度が比較的遅い表示体に画像を表示させるときに、その画像全体が表示されるまで待たされるという違和感を与えてしまうことを防止することができる画像表示装置を提供することを課題とする。
【発明の開示】
【０００５】  上記課題を解決するために、本発明の画像表示装置は、所定の画像を表示可能な第１表示部と、前記第１表示部の前面側に配され、前記所定の画像を前記第１表示部よりも高速に表示可能な第２表示部と、前記第１表示部及び前記第２表示部に対して前面視で同じ位置に前記所定の画像をそれぞれ表示させる表示指令部とを備え、前記表示指令部は、前記第１表示部に前記所定の画像が表示されてからは、前記第２表示部を透明状態とすることを特徴とする。なお、第１表示部及び第２表示部に表示させる画像としては、例えば、写真や文字の画像等が挙げられる。また、第２表示部を透明状態とするタイミングは、第１表示部に所定の画像が表示されてからであればよく、例えば、第１表示部に所定の画像全体が表示されてからでもよく、所定の画像全体が表示される直前であってもよい。
【０００６】  また、本発明の画像表示装置は、所定の画像を表示可能な第１表示部と、前記第１表示部の背面側に配され、前記所定の画像を前記第１表示部よりも高速に表示可能な第２表示部と、前記第１表示部及び前記第２表示部に対して前面視で同じ位置に前記所定の画像をそれぞれ表示させる表示指令部とを備え、前記第１表示部は、前記第２表示部の表示を前面側から透視可能に構成され、前記表示指令部は、前記第１表示部に前記所定の画像が表示されてからは、前記第２表示部を非表示状態とすることを特徴とする。
【０００７】  さらに、前記第１表示部及び前記第２表示部を含んでなる表示画面の前面側に配され、前記第１表示部及び前記第２表示部の少なくとも一方に表示されている画像を利用者に選択させるため、もしくは情報入力を行わせるためのタッチパネルを備えたことを特徴とするものであってもよい。
また、前記第２表示部の単位面積あたりの画素数は、前記第１表示部の単位面積当たりの画素数よりも少ないことを特徴とするものであってもよい。
【０００８】  これらの構成によれば、例えば、表示速度が比較的遅い第１表示部に所定の画像を表示させるときには、その第１表示部に所定の画像全体が表示されるまえに、第２表示部に前記所定の画像全体が表示される。そのため、その表示された所定の画像全体を前面側から利用者に視認させることができ、前記第１表示部だけで前記所定の画像の表示を行う方法に比べ、前記所定の画像全体が視認されるまでの時間を短くすることができ、その結果、前記所定の画像全体が表示されるまで待たされるという違和感を与えてしまうことを防止することができる。
【０００９】  さらに、詳細な画像表示が必要でないことを検出する詳細表示不要状態検出手段を備え、前記表示指令部は、前記詳細表示不要状態検出手段で詳細な画像表示が必要でないことが検出されると、前記第２表示部にのみ前記所定の画像を表示させることを特徴とするものであってもよい。
この構成によれば、詳細な情報表示が必要でないときには、第１表示部による所定の画像の表示が制限され、第２表示部にのみ前記所定の画像が表示される。そのため、表示品質を損なうことなく、画像表示装置の消費電力を小さくすることができる。
【００１０】  さらに、画像表示装置にあっては、前記第１表示部を、電力供給が遮断された状態で表示内容を保持可能な記憶性表示体とし、前記第２表示部を、電力供給が遮断されると表示内容が消去される非記憶性表示体としたことを特徴とするものであってもよい。
この構成によれば、第１表示部に所定の画像全体が表示されたのちに、前記第１表示部及び第２表示部への電力供給を遮断することで、前記第２表示部の表示内容が消去され、前記第１表示部の表示内容が保持され、その保持された表示内容を前面側から利用者に視認させることができる。そのため、例えば、所定の画像を長時間表示させておいても、それら第１表示部及び第２表示部による電力消費量を小さくすることができる。
【００１１】  また、前記第１表示部を、前記第２表示部及び前記タッチパネルから分離可能としたことを特徴とするものであってもよい。
この構成によれば、例えば、第１表示部の前面側に第２表示部とタッチパネルとが配され、その第２表示部とタッチパネル越しに前記第１表示部を透視させるようになっている場合に、前記第１表示部に表示内容を保持させたのちに、前記第１表示部を分離することで、その分離された第１表示部を利用者に直接視認させることができる。そのため、利用者に前記第２表示部とタッチパネル越しに透視させることによる前記第１表示部の視認性の悪化を防止することができる。
【００１２】  さらに、複数画像の高速切換表示を要求していることを検出する高速切換表示要求検出手段を備え、前記表示指令部は、前記高速切換表示要求検出手段で複数画像の高速切換表示を要求していることを検出されると、前記第２表示部にのみ前記複数画像を順次表示させることを特徴とするものであってもよい。
この構成によれば、利用者が高速切換表示を要求しているときには、第１表示部による画像の表示が制限されるため、例えば、第１表示部に画像全体が表示されてから次の画像の表示を開始する方法に比べ、複数の画像を順次高速に表示させることができる。
【図面の簡単な説明】
【００１３】［図１］本発明の画像表示装置の一実施形態を示す構成図である。
［図２］表示画面を破断して示す要部拡大図である。
［図３］表示画面等の表示状態を説明するための説明図である。
［図４］画像表示装置の内部構成を示すブロック図である。
［図５］コンテンツ表示処理を示すフローチャートである。
［図６］コンテンツ高速切換表示処理を示すフローチャートである。
［図７］実施形態の動作を説明するための説明図である。
［図８］実施形態の動作を説明するための説明図である。
［図９］実施形態の動作を説明するための説明図である。
［図１０］本発明の変形例を説明するための側面図である。
［図１１］本発明の変形例を説明するためのブロック図である。
【発明を実施するための最良の形態】
【００１４】  以下、本発明に係る画像表示装置の実施形態として、電子ブックのコンテンツを閲覧するための電子ブックリーダを構成した例を、図面に基づいて説明する。
＜電子ブックリーダの構成＞
図１は、本発明の一実施形態である電子ブックリーダを示す概略構成図である。この電子ブックリーダは、図１に示すように、所定のページに区切られた電子ブックのコンテンツを表示するための表示画面１が中央に配されている。また、表示画面１は、図２に示すように、背面側に電気泳動表示体２を備え、前面側に液晶表示体３を備えている。【００１５】  また、電気泳動表示体２は、黒色の帯電粒子４ａと白色の分散媒４ｂとからなる電気泳動分散液４を内包する複数のマイクロカプセル５と、それら複数のマイクロカプセル５が配された層を挟み込むように配置された一対の電極（透明電極，非透明電極）６，７とを含んで構成される。ここで、透明電極６は、前面側に配されて表示体全面の共通電極を形成し、また、非透明電極７は、背面側に配されて画素電極を形成する。【００１６】  そして、電気泳動表示体２は、第１ディスプレイドライバ１１０（後述）によって、任意のマイクロカプセル５に所定の電圧が印加され、黒色の帯電粒子４ａが前面側（電極６側）に吸着されると、図３（ａ）に示すように、それらの帯電粒子４ａが前面側から認識可能な状態とされて、表示コンテンツに含まれる写真や文字等の所定の画像データに応じた画像を表示する。また、電気泳動表示体２は、画像表示中にオフ状態とされると（駆動回路が開放状態とされると）、透明電極６に電荷が保持されて、その電荷のクーロン力で帯電粒子４ａは電極６側に吸着した状態が保持される。つまり、電気泳動表示体２は、一切電力を供給していない状態で、帯電粒子４ａが吸着され続け、表示されていた画像が保持される。【００１７】  また、液晶表示体３は、所定の電圧がかかっている状態では遮断状態となって黒色を表示し、所定の電圧がかかっていない状態では透過状態となって透明となる液晶層８と、その液晶層８を挟み込むように配置された一対の透明電極６，９とを含んで構成される。ここで、透明電極６は、電気泳動表示体２の前面側の電極を兼ねており、背面側に配されて液晶表示体３全面の共通電極を形成する。また、透明電極９は、前面側に配されて画素電極を形成する。さらに、透明電極（画素電極）９は、電気泳動表示体２の画素電極よりも１画素の大きさが大きく形成され、電気泳動表示体２よりも画素密度が小さく（単位面積当たりの画素数が少なく）なっており、電気泳動表示体２よりも表示速度が高速である。【００１８】  そして、電気泳動表示体２は、第２ディスプレイドライバ１１２（後述）によって、液晶層８に所定の電圧が印加され、液晶層８に黒色が表示されると、その黒色が前面側から認識可能な状態とされて、図３（ｂ）に示すように、所定の画像データに応じた画像を表示する。また、液晶表示体３は、画像表示中にオフ状態とされると（駆動回路が開放状態とされると）、液晶表示体３にかかっている電圧が「０」となって、表示されていた画像が消去される。【００１９】  そして、電気泳動表示体２及び液晶表示体３によって、図３（ａ）（ｂ）に示すように、前面視で同じ位置に同じ画像が表示されると（電気泳動表示体２及び液晶表示体３の互いに対応する位置に同じ画像データに応じた画像が表示されると）、液晶表示体３に表示されている画像によって電気泳動表��体２に表示されている画像が遮られて、図３（ｃ）に示すように、液晶表示体３に表示されている画像のみが表示画面１に表示される。また、液晶表示体３によって、その画像の表示中に表示画像が消去されると、図３（ｄ）に示すように、電気泳動表示体２に表示されている画像が表示画面１に表示される。【００２０】  また、図１に示すように、表示画面１の下方の中央には、次のページのコンテンツを表示画面１に表示させるためのページ送りボタン１０、前のページのコンテンツを表示画面１に表示させるためのページ戻しボタン１１、及び所定のメニュー画面の画像を表示画面１に表示させるためのメニュー呼び出しボタン１２が配されている。そして、ページ送りボタン１０、ページ戻しボタン１１及びメニュー呼び出しボタン１２は、後述する制御装置１００の入力Ｉ／Ｆ（Ｉｎｔｅｒ  Ｆａｃｅ）１０６（図４参照）に接続されている。【００２１】  さらに、表示画面１の下方の右側には、次のページのコンテンツを表示画面１に次々と高速切換表示させるための連続送りボタン１３が配されている。そして、連続送りボタン１３は、後述する制御装置１００の入力Ｉ／Ｆ１０６（図４参照）に接続されている。
また、表示画面１の前面には、表示画面１に所定のメニュー項目が表示された場合に、その表示されたメニュー項目から任意の項目を選択させるためのタッチパネル１４が配されている。そして、タッチパネル１４は、後述する制御装置１００のタッチパネルＩ／Ｆ１０７（図４参照）に接続されている。
＜制御装置の内部構成＞
次に、制御装置１００の内部構成を図４のブロック図に従って説明する。【００２２】  この制御装置１００は、図４に示すように、主制御部１０１、入力Ｉ／Ｆ（Ｉｎｔｅｒ  Ｆａｃｅ）１０６、タッチパネルＩ／Ｆ１０７及び出力ポート１０８を含んで構成される。
また、主制御部１０１は、ＣＰＵ１０２を内蔵したマイクロプロセッサ、制御プログラム等を格納するＲＯＭ１０３、電子ブックのコンテンツ等を格納するフラッシュメモリ１０４、及び各種のワークエリアを形成するワークＲＡＭ１０５を含んで構成される。そして、主制御部１０１は、ページ送りボタン１０やページ戻しボタン１１が押し下げ操作されると、次のページ又は前のページのコンテンツを電気泳動表示体２及び液晶表示体３に表示させるコンテンツ表示処理（後述）を実行する。また、主制御部１０１は、連続送りボタン１３が操作されると、次のページのコンテンツを液晶表示体３のみに次々と表示させるコンテンツ高速切換表示処理（後述）を実行する。【００２３】  また、入力Ｉ／Ｆ１０６には、ページ送りボタン１０、ページ戻しボタン１１、メニュー呼び出しボタン１２及び連続送りボタン１３が接続されている。そして、入力Ｉ／Ｆ１０６は、ページ送りボタン１０、ページ戻しボタン１１、メニュー呼び出しボタン１２及び連続送りボタン１３のいずれかが押し下げ操作されると、それぞれページ送りボタン押下信号、ページ戻しボタン押下信号、メニュー呼び出しボタン押下信号及び連続送りボタン押下信号を主制御部１０１に出力する。【００２４】  また、タッチパネルＩ／Ｆ１０７には、タッチパネル１４が接続されている。そして、タッチパネル１４は、表示画面１にメニュー項目が表示され、その表示されたメニュー項目を選択する操作がされると、その選択された項目に対応したメニュー項目選択信号を主制御部１０１に出力する。
さらに、出力ポート１０８には、電気泳動表示体２に表示させる画像に対応する画像データを格納する第１ビデオＲＡＭ１０９、電気泳動表示体２の画素電極を駆動するための第１ディスプレイドライバ１１０、液晶表示体３に表示させる画像を格納する第２ビデオＲＡＭ１１１、及び液晶表示体３の画素電極を駆動するための第２ディスプレイドライバ１１２が接続されている。
＜電子ブックリーダの動作＞
次に、ページ送りボタン１０やページ戻しボタン１１等から取得した検出信号に基づいて、液晶表示体３や電気泳動表示体２に電子ブックのコンテンツを表示させるコンテンツ表示処理を、図５のフローチャートに従って説明する。このコンテンツ表示処理は、入力Ｉ／Ｆ１０６からページ送りボタン押下信号又はページ戻しボタン押下信号が出力されると実行される処理であって、まず、そのステップＳ１０１では、次のページ又は前のページのコンテンツの画像の表示を電気泳動表示体２及び液晶表示体３に開始させる。具体的には、ページ送りボタン押下信号及びページ戻しボタン押下信号のいずれが出力されたかを判定する。ページ送りボタン押下信号が出力された場合には、まず、それまで表示されていたページの次のページのコンテンツの画像データをフラッシュＲＯＭ１０４から読み出し、その読み出された画像データを第１ビデオＲＡＭ１０９及び第２ビデオＲＡＭ１１１に格納させる。次いで、それら第１ビデオＲＡＭ１０９及び第２ビデオＲＡＭ１１１に格納させた画像データに対応する画像が、電気泳動表示体２及び液晶表示体３に対して前面視で同じ位置に表示されるように、電気泳動表示体２及び液晶表示体３に当該画像の表示を開始させる表示開始指令を第１ディスプレイドライバ１１０及び第２ディスプレイドライバ１１２に同時に出力する。【００２５】  また、ページ戻しボタン押下信号が出力された場合には、まず、それまで表示されていたページの前のページのコンテンツの画像データをフラッシュＲＯＭ１０４から読み出し、その読み出された画像データを第１ビデオＲＡＭ１０９及び第２ビデオＲＡＭ１１１に格納させる。次いで、それら第１ビデオＲＡＭ１０９及び第２ビデオＲＡＭ１１１に格納させた画像データに対応する画像が、電気泳動表示体２及び液晶表示体３に対して前面視で同じ位置に表示されるように、電気泳動表示体２及び液晶表示体３に当該画像の表示を開始させる指令を第１ディスプレイドライバ１１０及び第２ディスプレイドライバ１１２に同時に出力する。【００２６】  次にステップＳ１０２に移行して、前記ステップＳ１０１で指令された画像全体が電気泳動表示体２に表示されたか否かを判定する。そして、画像全体が表示された場合には（Ｙｅｓ）ステップＳ１０４に移行し、そうでない場合には（Ｎｏ）ステップＳ１０３に移行する。
前記ステップＳ１０３では、第２ビデオＲＡＭ１１１に格納されている画像データに対応する画像を液晶表示体３に表示させる指令を第２ディスプレイドライバ１１２に出力する。【００２７】  前記ステップＳ１０４では、電子ブックリーダの電源をオフ状態とし（液晶表示体３と電気泳動表示体２との電力供給を遮断し）、液晶表示体３の駆動回路と電気泳動表示体２の駆動回路とを開放状態としてから、この演算処理を終了する。
なお、タッチパネル１４から情報が入力された場合にも、上記処理と同様の手順で処理を行うことが可能である。すなわち、タッチパネル１４から情報が入力された場合には、まず、その入力された情報に対応した画像データを生成し、その画像データを第１ビデオＲＡＭ１０９及び第２ビデオＲＡＭ１１１に格納させる。そして、それら第１ビデオＲＡＭ１０９及び第２ビデオＲＡＭ１１１に格納させた画像データに対応する画像が、電気泳動表示体２及び液晶表示体３に対して前面視で同じ位置に表示されるように電気泳動表示体２及び液晶表示体３に当該画像の表示を開始させる指令を第１ディスプレイドライバ１１０及び第２ディスプレイドライバ１１２に同時に出力する。そのようにすれば、タッチパネル１４から入力された情報を、利用者を待たせることなく、表示画面１に表示することが可能となる。【００２８】  次に、連続送りボタン１３等から取得した検出信号に基づいて、液晶表示体３のみに電子ブックのコンテンツを次々と表示させるコンテンツ高速切換表示処理を、図６のフローチャートに従って説明する。このコンテンツ高速切換表示処理は、連続送りボタン押下信号が入力Ｉ／Ｆ１０６から出力されたときに実行される処理であって、まず、そのステップＳ２０１では、それまで表示されていたページの次のページのコンテンツの画像データをフラッシュＲＯＭ１０４から読み出し、その読み出された画像データを第２ビデオＲＡＭ１１１に格納させる。次いで、その第２ビデオＲＡＭ１１１に格納されている画像データに対応する画像を液晶表示体３に表示させる指令を第２ディスプレイドライバ１１２に出力する。【００２９】  次にステップＳ２０２に移行して、連続送りボタン押下信号が出力されているか否かを判定する。そして、連続送りボタン押下信号が出力されている場合には（Ｙｅｓ）ステップＳ２０３に移行し、そうでない場合、つまり、連続送りボタン押し下げ信号が出力されていない場合には（Ｎｏ）前記ステップＳ２０１に移行する。
前記ステップＳ２０３では、まず、連続送りボタン押下信号が中断されたときに表示されていたページのコンテンツの画像データをフラッシュＲＯＭ１０４から読み出し、その読み出された画像データを第１ビデオＲＡＭ１０９及び第２ビデオＲＡＭ１１１に格納させる。次いで、それら第１ビデオＲＡＭ１０９及び第２ビデオＲＡＭ１１１に格納させた画像データに対応する画像が、電気泳動表示体２及び液晶表示体３に対して前面視で同じ位置に表示されるように電気泳動表示体２及び液晶表示体３に当該画像の表示を開始させる指令を第１ディスプレイドライバ１１０及び第２ディスプレイドライバ１１２に同時に出力する。【００３０】  次にステップＳ２０４に移行して、前記ステップＳ２０３で指令された画像全体が電気泳動表示体２に表示されたか否かを判定し、画像全体が表示された場合には（Ｙｅｓ）ステップＳ２０６に移行し、そうでない場合には（Ｎｏ）ステップＳ２０５に移行する。
前記ステップＳ２０５では、第２ビデオＲＡＭ１１１に格納されている画像データに対応する画像を液晶表示体３に表示させる指令を第２ディスプレイドライバ１１２に出力する。【００３１】  前記ステップＳ２０６では、電子ブックリーダの電源をオフ状態とし（液晶表示体３と電気泳動表示体２との電力供給を遮断し）、液晶表示体３の駆動回路と電気泳動表示体２の駆動回路とを開放状態としてから、この演算処理を終了する。
＜電子ブックリーダの具体的動作＞
次に本実施形態の電子ブックリーダの動作を具体的状況に基づいて詳細に説明する。【００３２】  まず、次のページのコンテンツを表示画面１に表示させるために、利用者がページ送りボタン１０を押し下げ操作し、入力Ｉ／Ｆ１０６からページ送りボタン押下信号がＣＰＵ１０２に出力されたとする。すると、ＣＰＵ１０２で、コンテンツ表示処理が実行され、図５に示すように、まず、そのステップＳ１０１で、次のページのコンテンツの画像データが読み出され、その読み出された画像データが第１及び第２ビデオＲＡＭ１０９、１１１に格納され、それら第１及び第２ビデオＲＡＭ１０９、１１１に格納された画像データに対応する画像の表示を電気泳動表示体２及び液晶表示体３に開始させる表示開始指令が第１及び第２ディスプレイドライバ１１０、１１２に出力される。【００３３】  そして、その表示開始指令が取得されると、第１ディスプレイドライバ１１０によって、図７（ａ）に示すように、第１ビデオＲＡＭ１０９に格納されている画像データに対応する画像（例えば、カタカナの「ノ」の字の画像）の表示が電気泳動表示体２で開始される。また、第２ディスプレイドライバ１１２によって、図７（ｂ）に示すように、第２ビデオＲＡＭ１１１に格納されている画像データに対応する画像の表示が液晶表示体３で開始され、電気泳動表示体２に画像全体が表示されるまえに、液晶表示体３に画像全体が表示される。【００３４】  そして、液晶表示体３に画像全体が表示されると、液晶表示体３に表示されている画像によって電気泳動表示体２に表示されている画像が遮られ、表示画面１には、図７（ｃ）に示すように、液晶表示体３に表示されている画像のみが表示される。
このように、本実施形態の電子ブックリーダにあっては、電気泳動表示体２に所定の画像全体が表示されるまえに、液晶表示体３に前記所定の画像全体が表示される。そのため、その表示された所定の画像全体を前面側から利用者に視認させることができ、電気泳動表示体２だけで前記所定の画像の表示を行う方法に比べ、前記所定の画像全体が視認されるまでの時間を短くすることができ、その結果、前記所定の画像全体が表示されるまで待たされるという違和感を与えてしまうことを防止することができる。【００３５】  ここで、まだ電気泳動表示体２に画像全体が表示されていないとする。すると、ステップＳ１０２の判定が「Ｎｏ」となり、ステップＳ１０３で、第２ビデオＲＡＭ１１１に格納されている画像データに対応する画像を液晶表示体３に表示させる指令が第２ディスプレイドライバ１１２に出力される。そして、その表示開始指令が取得されると、第２ディスプレイドライバ１１２によって、図７（ｂ）に示すように、第２ビデオＲＡＭ１１１に格納されている画像データに対応する画像が液晶表示体３に表示され、前記ステップＳ１０２の判定から上記フローが繰り返される。【００３６】  上記フローが繰り返されるうちに、図３（ａ）に示すように、電気泳動表示体２に画像全体が表示されたとする。すると、前記ステップＳ１０２の判定が「Ｙｅｓ」となり、ステップＳ１０４で、電子ブックリーダの電源がオフ状態とされ、この演算処理が終了する。そして、液晶表示体３の駆動回路と電気泳動表示体２の駆動回路とが開放状態とされると、図９（ａ）に示すように、電気泳動表示体２に画像が保持され、図９（ｂ）に示すように、液晶表示体３の画像が消去され、表示画面１には、図９（ｃ）に示すように、電気泳動表示体２に表示されている画像が表示される。【００３７】  このように、本実施形態の電子ブックリーダによれば、液晶表示体３で所定の画像全体が表示されたのちに、電気泳動表示体２の表示内容が保持されるように電気泳動表示体２及び液晶表示体３への電力供給を遮断することで、液晶表示体３の表示内容が消去され、その保持された表示内容を前面側から利用者に視認させることができる。そのため、例えば、所定の画像を長時間表示させておくような用途において、それら電気泳動表示体２及び液晶表示体３による電力消費量を小さくすることができる。【００３８】  一方、次のページのコンテンツを表示画面１に次々と表示させるために、利用者が連続送りボタン１３を押し下げ操作し、入力Ｉ／Ｆ１０６から連続送りボタン押下信号がＣＰＵ１０２に出力されたとする。すると、ＣＰＵ１０２で、コンテンツ高速切換表示処理が実行され、図６に示すように、まずそのステップＳ２０１で、次のページのコンテンツの画像データがフラッシュＲＯＭ１０４から読み出され、その読み出された画像データが第２ビデオＲＡＭ１１１に格納され、その第２ビデオＲＡＭ１１１に格納された画像データに対応する画像を液晶表示体３に表示させる指令が第２ディスプレイドライバ１１２に出力され、ステップＳ２０２の判定が「Ｙｅｓ」となり、上記フローが繰り返される。【００３９】  そして、それらの表示開始指令が取得されると、図８（ａ）に示すように、電気��動表示体２による画像の表示が制限された状態で、第２ディスプレイドライバ１１２によって、図８（ｂ）に示すように、第２ビデオＲＡＭ１１１に格納されている画像データに対応する画像が液晶表示体３で次々と表示され、表示画面１には、図８（ｃ）に示すように、液晶表示体３に表示されている画像が次々と表示される。【００４０】  このように本実施形態の電子ブックリーダによれば、利用者が連続送りボタン１３を押し下げ操作しているときには、電気泳動表示体２による画像の表示が制限される。そのため、電気泳動表示体２に画像全体が表示されてから次の画像の表示を開始する方法に比べ、複数の画像を順次高速に表示させることができる。
ここで、利用者が連続送りボタン１３を離したとする。すると、前記ステップＳ２０１の判定が「Ｎｏ」となり、ステップＳ２０３で、連続送りボタン押下信号が中断されたときに表示されていた画像データが読み出され、その読み出された画像データが第１及び第２ビデオＲＡＭ１０９、１１１に格納される。また、それら第１及び第２ビデオＲＡＭ１０９、１１１に格納された画像データに対応する画像の表示を電気泳動表示体２及び液晶表示体３に開始させる表示開始指令が第１及び第２ディスプレイドライバ１１０、１１２に出力される。そして、その出力された表示開始指令によって、電気泳動表示体２に画像全体が表示される。さらに、前記ステップＳ２０４の判定が「Ｙｅｓ」となり、ステップＳ２０６で、液晶表示体３の駆動回路と電気泳動表示体２の駆動回路とが開放状態とされ、その開放状態によって電気泳動表示体２に表示されている画像が表示画面１に表示され、この演算処理が終了する。【００４１】  なお、上記実施形態によれば、図２の電気泳動表示体２が第１表示部及び記憶性表示体を構成し、以下同様に、図２の液晶表示体３が第２表示部及び非記憶性表示体を構成し、図４の制御装置１００及び図５のステップＳ１０１〜ステップＳ１０４が表示指令部を構成し、連続送りボタン１３が高速切換表示要求検出手段を構成する。
また、本発明は、上記実施の形態の内容に限定されるものではなく、本発明の趣旨を逸脱しない範囲で適宜変更可能である。【００４２】  例えば、上記実施形態では、電気泳動表示体２及び液晶表示体３に表示開始指令を同時に出力する例を示したが、これに限られるものではない。例えば、液晶表示体３に表示開始指令を出力するタイミングを僅かにずらすようにしてもよい。
また、電気泳動表示体２に画像全体が表示されてから、液晶表示体３を透明状態とする例を示したが、これに限られるものではない。例えば、電気泳動表示体２に画像全体が表示される直前に液晶表示体３を透明状態としてもよい。【００４３】  さらに、電気泳動表示体２を背面側に配し、液晶表示体３を前面側に配する例を示したが、これに限られるものではない。例えば、電源をオフ状態としても状態を保持する他の記憶性表示体（例えば、コレステリック液晶等）を背面側に配するようにしてもよい。また、コレステリック液晶を前面側に配し、液晶表示体３を背面側に配し、さらに、コレステリック液晶の共通電極及び画素電極を透明電極とすることで、液晶表示体３の表示を前面側から透視可能に構成してもよい。そして、制御装置１００によって、コレステリック液晶に画像が表示されてからは、液晶表示体３を非表示状態とし、コレステリック液晶に表示されている画像のみが前面側から視認可能となるようにしてもよい。【００４４】  また、利用者が連続送りボタン１３を離した直後に、電気泳動表示体２に画像表示を開始させる例を示したが、これに限られるものではない。例えば、連続送りボタン１３を離してから一定時間経過した後に、画像表示を開始させるようにしてもよい。
さらに、電気泳動表示体２、液晶表示体３及びタッチパネル１４を一体に構成する例を示したが、これに限られるものではない。例えば、電気泳動表示体２を分離可能に構成するようにしてもよい。すなわち、図１０及び図１１に示すように、タッチパネル１４及び液晶表示体３を含む上枠部１５の下面の４隅に凸状の接続端子を設け、また、電気泳動表示体２を含む下枠部１６の上面の４隅に凹状の接続端子を設け、それらの接続端子のうち互いに対応するものをデータ授受可能に嵌合させることによって、電気泳動表示体２と液晶表示体３とを位置合わせし、電子ブックリーダの表示画面を構成するようにしてもよい。つまり、このようにして接続端子で嵌合させることによって、タッチパネル１４及びページ送りボタン１０からの情報を主制御部１０１に送ることや、ドライバからの情報を液晶表示体３に送ることも可能となる。そして、複数の画像のうちから所望の画像を探し出すときには、電気泳動表示体２と液晶表示体３とを接続することで、それらの表示体２、３に複数の画像を次々に表示させて画像を高速に検索することができる。また、その検索された画像を見るときには、その画像が保持された電気泳動表示体２を分離することで、その分離された電気泳動表示体２に保持されている画像を直接視認することができ、その結果、液晶表示体３越しに透視することによる電気泳動表示体２の視認性の悪化を防止することができる。【００４５】  また、常に、電気泳動表示体２及び液晶表示体３の両方に画像を表示させる例を示したが、これに限られるものではない。例えば、表示コンテンツに含まれる文字の大きさを検出し、その検出された文字の大きさが十分に大きく、画素密度の小さい液晶表示体３で適切に表示できるときには、電気泳動表示体２による画像の表示を制限し、液晶表示体３にのみ画像を表示させるようにしてもよい。そのようにすれば、液晶表示体３による表示のみでは文字がつぶれてしまうときには、電気泳動表示体２にも画像が表示され、また、液晶表示体３による表示のみでも文字を読むことができるときには、電気泳動表示体２による画像の表示が制限され、電気泳動表示体２による消費電力を小さくできる。そのため、表示品質を損なうことなく、電子ブックリーダの消費電力を小さくすることができる。
【図１】
2005034068.tif 000003
【図２】
2005034068.tif 000004
【図３】
2005034068.tif 000005
【図４】
2005034068.tif 000006
【図５】
2005034068.tif 000007
【図６】
2005034068.tif 000008
【図７】
2005034068.tif 000009
【図８】
2005034068.tif 000010
【図９】
2005034068.tif 000011
【図１０】
2005034068.tif 000012
【図１１】
2005034068.tif 000013
【国際調査報告】
2005034068.tif 000014
2005034068.tif 000015
2005034068.tif 000016
2005034068.tif 000017